(57)【要約】【課題】  例えば、アダプティブアレイアンテナを備えた基地局装置で、運用中にアンテナのキャリブレーションに関する特性が変化する場合にも、適切なアンテナキャリブレーションを実現する。【解決手段】  アンテナ割り当て切り替え手段が、複数のアンテナＡ１〜ＡＮ、Ａｃの中で無線通信に用いるアンテナとアンテナ系に関するキャリブレーション処理を実行するために用いるアンテナの割り当てを切り替え、無線通信手段がアンテナ割り当て切り替え手段により無線通信に用いるものとして割り当てられたアンテナを用いて無線により通信し、アンテナキャリブレーション処理実行手段がアンテナ割り当て切り替え手段によりアンテナ系に関するキャリブレーション処理を実行するために用いるものとして割り当てられたアンテナを用いてアンテナ系に関するキャリブレーション処理を実行する。【選択図】  図１
2005130323.tif 000002
【特許請求の範囲】
【請求項１】
複数のアンテナを備え、１又は２以上のアンテナを用いて無線により通信するとともに、１又は２以上のアンテナを用いてアンテナ系に関するキャリブレーション処理を実行する無線通信装置であって、
複数のアンテナの中で無線通信に用いるアンテナとアンテナ系に関するキャリブレーション処理を実行するために用いるアンテナの割り当てを切り替えるアンテナ割り当て切り替え手段と、
アンテナ割り当て切り替え手段により無線通信に用いるものとして割り当てられたアンテナを用いて無線により通信する無線通信手段と、
アンテナ割り当て切り替え手段によりアンテナ系に関するキャリブレーション処理を実行するために用いるものとして割り当てられたアンテナを用いてアンテナ系に関するキャリブレーション処理を実行するアンテナキャリブレーション処理実行手段と、
を備えたことを特徴とする無線通信装置。
【請求項２】
請求項１に記載の無線通信装置において、
無線通信手段により通信相手から無線受信する通信信号の周波数である第１周波数と無線通信手段により通信相手に対して無線送信する通信信号の周波数である第２周波数とは異なっており、
それぞれのアンテナ系には、アンテナにより無線受信される信号から第１周波数の成分を抽出する第１周波数成分抽出手段及び第１周波数成分抽出手段による抽出結果を増幅させる増幅手段及び増幅手段による増幅結果を所定の周波数の信号へ変換する第１の周波数変換手段を含んで構成される受信信号処理経路と、アンテナにより無線受信される信号から第２周波数の成分を抽出する第２周波数成分抽出手段及び第２周波数成分抽出手段による抽出結果を減衰させる減衰手段及び減衰手段による減衰結果を所定の周波数の信号へ変換する第２の周波数変換手段を含んで構成されるキャリブレーション処理経路と、受信信号処理系路とキャリブレーション処理経路とで使用する処理系路を切り替える使用処理経路切り替え手段と、を備えた、
ことを特徴とする無線通信装置。
【請求項３】
請求項１又は請求項２に記載の無線通信装置において、
それぞれのアンテナについて、送信系と受信系とで共通のアンテナが共用される、或いは、送信系と受信系とで別個なアンテナが用いられる、
ことを特徴とする無線通信装置。
【発明の詳細な説明】
【技術分野】
【０００１】
本発明は、例えば、アダプティブアレイアンテナを備えた基地局装置などの無線通信装置に関し、特に、運用中にアンテナのキャリブレーションに関する特性が変化するような場合においても、適切なアンテナキャリブレーションを実現する無線通信装置に関する。
【背景技術】
【０００２】
例えば、携帯電話システムや簡易型携帯電話システム（ＰＨＳ：Personal Handy phone System）などの移動体無線通信システムでは、複数のアンテナから構成されるアダプティブアレイアンテナを備えた基地局装置により移動局装置との間で無線通信することが行われている。
また、このような基地局装置では、各アンテナにおける送信処理と受信処理との間の誤差や、複数のアンテナにおける送信処理の間の誤差或いは受信処理の間の誤差を補正（キャリブレーション）するために、アンテナのキャリブレーションの処理が行われる（例えば、特許文献１参照。）。
【０００３】
【特許文献１】特開２００２−２６１６６８号公報
【発明の開示】
【発明が解決しようとする課題】
【０００４】
しかしながら、従来におけるアダプティブアレイアンテナを備えた基地局装置では、例えば、運用中にアンテナのキャリブレーションに関する特性が変化してしまうようなことが生じ、このため、適切なアンテナキャリブレーションが実現されなくなってしまうといった問題があった。
本発明は、このような従来の事情に鑑み為されたもので、例えば、運用中にアンテナのキャリブレーションに関する特性が変化するような場合においても、適切なアンテナキャリブレーションを実現することができる無線通信装置を提供することを目的とする。
【課題を解決するための手段】
【０００５】
上記目的を達成するため、本発明に係る無線通信装置では、複数のアンテナを備え、次のようにして、１又は２以上のアンテナを用いて無線により通信するとともに、１又は２以上のアンテナを用いてアンテナ系に関するキャリブレーション処理を実行する。
すなわち、アンテナ割り当て切り替え手段が、複数のアンテナの中で、無線通信に用いるアンテナとアンテナ系に関するキャリブレーション処理を実行するために用いるアンテナの割り当てを切り替える。そして、無線通信手段が、アンテナ割り当て切り替え手段により無線通信に用いるものとして割り当てられたアンテナを用いて、無線により通信する。また、アンテナキャリブレーション処理実行手段が、アンテナ割り当て切り替え手段によりアンテナ系に関するキャリブレーション処理を実行するために用いるものとして割り当てられたアンテナを用いて、アンテナ系に関するキャリブレーション処理を実行する。
【０００６】
従って、複数のアンテナの中で、無線通信に用いるアンテナとアンテナ系に関するキャリブレーション処理を実行するために用いるアンテナの割り当てが切り替えられるため、種々な環境や状況に対応した無線通信やキャリブレーション処理が可能である。例えば、通信相手との無線通信の実行中（運用中）に、無線通信に用いられているアンテナ系に関するキャリブレーション処理を実行することにより、運用中に当該アンテナ系のキャリブレーションに関する特性が変化するような場合においても、適切なアンテナキャリブレーションを実現することができる。
【０００７】
ここで、無線通信装置に備えられる複数のアンテナの総数としては、種々な数が用いられてもよく、一例として、無線通信に用いられるアレイアンテナを構成する２以上のアンテナと、キャリブレーション処理を実行するために用いられる１つのアンテナが備えられる。
また、無線通信に用いられるアンテナの数としては、特に限定はなく、１つであってもよく、或いは、２以上であってもよい。
また、アンテナ系に関するキャリブレーション処理を実行するために用いられるアンテナの数としては、特に限定はなく、１つであってもよく、或いは、２以上であってもよい。
【０００８】
また、無線通信としては、例えば、通信相手となる無線通信装置に対して信号を無線により送信することや、通信相手となる無線通信装置から無線により送信された信号を受信することが行われる。
また、アンテナ系に関するキャリブレーション処理としては、種々な処理が用いられてもよく、例えば、無線通信に用いられるアンテナの系の送信や受信や送受信に関する信号振幅の誤差や信号位相の誤差を補正するための処理が用いられる。
【０００９】
また、複数のアンテナの中で無線通信に用いるアンテナとアンテナ系に関するキャリブレーション処理を実行するために用いるアンテナの割り当てを切り替える態様としては、種々な態様が用いられてもよく、例えば、運用中に動的に切り替える態様を用いることもできる。
また、アンテナ割り当て切り替え手段による切り替えを行うタイミングとしては、種々なタイミングが用いられてもよく、例えば、定期的なタイミングが用いられてもよく、また、例えば、ガードタイムの期間のように、実質的に情報の無線通信が行われない期間にアンテナ割り当ての切り替えを行うような態様を用いることもできる。
【００１０】
本発明に係る無線通信装置では、一構成例として、次のような構成とする。
すなわち、無線通信手段により通信相手から無線受信する通信信号の周波数（第１周波数）と、無線通信手段により通信相手に対して無線送信する通信信号の周波数（第２周波数）とは異なっている。
そして、それぞれのアンテナ系では、受信信号処理経路とキャリブレーション処理系路を備え、使用処理経路切り替え手段が受信信号処理系路とキャリブレーション処理経路とで使用する処理系路を切り替える。
【００１１】
また、受信信号処理経路では、第１周波数成分抽出手段がアンテナにより無線受信される信号から第１周波数の成分を抽出し、増幅手段が第１周波数成分抽出手段による抽出結果を増幅させ、第１の周波数変換手段が増幅手段による増幅結果を所定の周波数の信号へ変換する。
また、キャリブレーション処理系路では、第２周波数成分抽出手段がアンテナにより無線受信される信号から第２周波数の成分を抽出し、減衰手段が第２周波数成分抽出手段による抽出結果を減衰させ、第２の周波数変換手段が減衰手段による減衰結果を所定の周波数の信号へ変換する。
【００１２】
従って、アンテナ系では、例えば、通信相手から無線受信される信号を受信信号処理経路により処理する状態と、他のアンテナ系から無線送信される信号を受信してキャリブレーション処理系路により処理してキャリブレーション処理を実行する状態とを切り替えることが可能である。
【００１３】
ここで、通信相手としては、種々なものが用いられてもよい。一例として、本発明に係る無線通信装置を移動体無線通信システムの基地局装置に適用した場合には、通信相手として移動局装置などを用いることができる。
また、通信相手から無線受信する通信信号や、通信相手に対して無線送信する通信信号としては、それぞれ、種々な信号が用いられてもよい。
【００１４】
また、第１周波数や、第２周波数としては、それぞれ、種々な周波数が用いられてもよい。
また、アンテナ系のキャリブレーション処理を実行するために使用される信号としては、例えば、通信相手に対して無線送信する通信信号が用いられてもよく、或いは、キャリブレーションに専用の信号が用意されて用いられてもよい。
【００１５】
また、第１の周波数変換手段による変換後の所定の周波数の信号の当該周波数と、第２の周波数変換手段による変換後の所定の周波数の信号の当該周波数としては、それぞれ、種々な周波数が用いられてもよく、例えば、互いに同一の周波数が用いられる。
【００１６】
本発明に係る無線通信装置では、例えば、それぞれのアンテナについて、送信系と受信系とで共通のアンテナが共用される、或いは、送信系と受信系とで別個なアンテナが用いられる。
ここで、それぞれのアンテナとしては、種々なアンテナが用いられてもよい。また、種々なアンテナの配置が用いられてもよい。
【００１７】
以下で、更に、本発明に係る構成例を示す。
一構成例として、無線通信に用いられるアンテナから無線送信される信号（例えば、通信信号、或いは、キャリブレーション用の信号）を、アンテナ系に関するキャリブレーション処理を実行するために用いられるアンテナにより受信し、当該受信結果に基づいて、アンテナ系に関するキャリブレーション処理を実行する。例えば、アンテナ系について送信と受信との間のキャリブレーション（送受信キャリブレーション）などを実行する。
【００１８】
一構成例として、無線通信に用いられる複数のアンテナ系に対して１つずつ順番にキャリブレーション処理を実行していく。
一構成例として、複数のアンテナの中で、１つのアンテナがアンテナ系に関するキャリブレーション処理を実行するために用いられ、残りのアンテナが無線通信に用いられる。
【００１９】
一構成例として、複数のアンテナの中で、２以上のアンテナがアンテナ系に関するキャリブレーション処理に用いられ、残りのアンテナが無線通信に用いられる。
一構成例として、無線通信では、複数のアンテナがアレイアンテナとして用いられる。例えば、複数のアンテナがアダプティブアレイアンテナとして用いられる。
【００２０】
一構成例として、いずれかのアンテナの系に障害が発生した場合には、残りのアンテナの中で無線通信に用いるアンテナとアンテナ系に関するキャリブレーション処理に用いるアンテナが割り当てられる。
ここで、アンテナ系の障害としては、種々なものが用いられてもよく、例えば、アンテナの障害や、アンテナ以外の受信回路などの障害が用いられる。
【００２１】
一構成例として、いずれかのアンテナの系に障害が発生した場合には、障害が発生したアンテナ系の数と同数のアンテナを無線通信に用いる複数のアンテナから除外する。
一構成例として、いずれかのアンテナに障害が発生した場合には、その旨を管理側などへ通知する。
【００２２】
一構成例として、送信アンテナと受信アンテナが異なる場合には、アレイアンテナ（例えば、アダプティブアレイアンテナ）を構成する数の送信アンテナのアンテナ系が確保され、残りのアンテナ系の全部又は一部の受信アンテナがアンテナ系に関するキャリブレーション処理を実行するために用いられる。
【発明の効果】
【００２３】
以上説明したように、本発明に係る無線通信装置によると、複数のアンテナの中で無線通信に用いるアンテナとアンテナ系に関するキャリブレーション処理を実行するために用いるアンテナの割り当てを切り替え、無線通信や、アンテナ系に関するキャリブレーション処理を実行するようにしたため、種々な環境や状況に対応した無線通信やキャリブレーション処理が可能であり、例えば、運用中にアンテナ系のキャリブレーションに関する特性が変化するような場合においても、適切なアンテナキャリブレーションを実現することが可能である。
【発明を実施するための最良の形態】
【００２４】
本発明に係る実施例を図面を参照して説明する。
本実施例では、複数である（Ｎ＋１）個の系から構成されたアダプティブアレイアンテナを備えた移動体無線通信の基地局装置に本発明を適用した場合を示す。また、本実施例では、アンテナの送受信キャリブレーションなどのキャリブレーション処理を行う場合を示す。
【実施例１】
【００２５】
本発明の第１実施例を説明する。
図１には、本発明の第１実施例に係る基地局装置のアダプティブアレイアンテナに関する部分の構成例を示してある。
本例の基地局装置には、（Ｎ＋１）個の系のそれぞれに、アンテナＡ１〜ＡＮ、Ａｃと、送受切り替え用のスイッチ（ＳＷ）Ｂ１〜ＢＮ、Ｂｃと、受信回路（Ｒｘ）Ｃ１〜ＣＮ、Ｃｃと、Ａ／Ｄ（Analog to Digital）変換器（ＡＤＣ）Ｄ１〜ＤＮ、Ｄｃと、各アンテナＡ１〜ＡＮ、Ａｃの受信信号に対して各アンテナＡ１〜ＡＮ、Ａｃの受信ウエイトを乗算するための乗算器Ｅ１〜ＥＮ、Ｅｃと、送信信号に対して各アンテナＡ１〜ＡＮ、Ａｃの送信ウエイトを乗算するための乗算器Ｆ１〜ＦＮ、Ｆｃと、Ｄ／Ａ（Digital to Analog）変換器（ＤＡＣ）Ｇ１〜ＧＮ、Ｇｃと、送信回路（Ｔｘ）Ｈ１〜ＨＮ、Ｈｃが備えられている。
【００２６】
また、本例の基地局装置には、（Ｎ＋１）個の系に共通に、受信ウエイト乗算後の各アンテナＡ１〜ＡＮ、Ａｃによる受信信号を総和してアダプティブアレイアンテナ全体としての受信信号を取得する加算器１と、当該受信信号に基づいて各アンテナＡ１〜ＡＮ、Ａｃの受信ウエイトや各アンテナＡ１〜ＡＮ、Ａｃの送信ウエイトを算出することやキャリブレーションの処理を行うウエイト計算・キャリブレーション回路２が備えられている。
【００２７】
図２には、本例の基地局装置の受信回路Ｃ１の構成例を示してある。なお、本例では、全ての系の受信回路Ｃ１〜ＣＮ、Ｃｃは同様な構成を有している。
本例の受信回路Ｃ１には、アイソレータ１１と、２つの信号処理系を切り替えるための２つのスイッチ１２、２１と、受信信号の中間周波数（ＩＦ：Intermediate Frequency）帯のバンドパスフィルタ（ＢＰＦ：Band Pass Filter）２２が備えられている。また、一方の信号処理系として、送信周波数帯のバンドパスフィルタ（ＴｘＢＰＦ）１３と、可変減衰器１４と、発信器１５と、周波数変換ミキサ１６が備えられており、他方の信号処理系として、受信周波数帯のバンドパスフィルタ（ＲｘＢＰＦ）１７と、増幅器１８と、発信器１９と、周波数変換ミキサ１６が備えられている。
【００２８】
なお、上記図２に示した構成について、例えば、アイソレータ１１は一般的に使用されるものであるが、必ずしも備えられなくともよい。また、キャリブレーションを行う系（一方の信号処理系）の可変減衰器１４は、キャリブレーションを行うための信号の送信アンテナと受信アンテナとの間の距離が比較的近いことから、受信信号を減衰するために備えられている。
【００２９】
本例の基地局装置により行われる動作の一例を示す。
本例の基地局装置では、複数のアンテナ素子Ａ１〜ＡＮ、Ａｃ毎に、受信系統と送信系統をスイッチＢ１〜ＢＮ、Ｂｃで分波する。
各アンテナＡ１〜ＡＮ、Ａｃにより無線受信された信号は、それぞれのスイッチＢ１〜ＢＮ、Ｂｃを経由してそれぞれの受信回路Ｃ１〜ＣＮ、Ｃｃに入力される。
【００３０】
各受信回路部Ｃ１〜ＣＮ、Ｃｃには、上記図２に示されるように、アンテナのキャリブレーションを行うために送信周波数帯を通過させるブロック（一方の信号処理系）と、受信処理を行うために受信周波数帯を通過させるブロック（他方の信号処理系）がある。
【００３１】
各受信回路Ｃ１〜ＣＮ、Ｃｃでは、入力信号が送受信信号共用のアイソレータ１１を通過した後のところで、それぞれの信号処理系をスイッチ１２で切り替える構成となっている。
そして、キャリブレーションを行う場合には、スイッチ１２により一方の信号処理系へ切り替える。この場合、信号が送信周波数帯のバンドバスフィルタ１３を通過した後に、位相特性や振幅特性が既知の可変減衰器１４により当該信号のレベルを適切なレベルにコントロールし、その後、当該信号の周波数をミキサ１６により受信ＩＦ周波数帯と同じ周波数にして、当該信号がスイッチ２１を経て受信ＩＦ周波数帯のバンドパスフィルタ２２を通して出力される。
【００３２】
また、アレイ系で動作する場合には、スイッチ１２により他方の信号処理系（受信回路系）へ切り替える。この場合、信号はバンドパスフィルタ１７を通って低雑音増幅器１８により増幅され、その後、当該信号の周波数をミキサ２０により受信ＩＦ周波数帯に変換して、当該信号がスイッチ２１を経てバンドパスフィルタ２２を通して出力される。
【００３３】
なお、各信号処理系の発信器１５、１９としては、それぞれ発信する信号の周波数が異なっており、例えば、各信号処理系について、１つの発信器から分配された信号を各アレイ系列＃１〜＃Ｎ、＃Ｃへ供給している。
また、本例の基地局装置の受信回路部Ｃ１〜ＣＮ、Ｃｃでは、キャリブレーションのために機能するときには送信信号を抽出して出力し、受信機として機能するときには受信信号を抽出して出力するが、必ずしも本例の構成に限られず、同様な処理が実現される他の種々な構成が用いられてもよい。
【００３４】
次に、各受信回路Ｃ１〜ＣＮ、Ｃｃを通過した信号は、各Ａ／Ｄ変換器Ｄ１〜ＤＮ、Ｄｃによりアナログ信号からデジタル信号へ変換され、ウエイト計算・キャリブレーション回路２による計算結果により複素振幅の重み付けが行われる。そして、重み付け後の（Ｎ＋１）個の受信信号が加算器（合成器）１により加算（合成）され、当該加算結果が受信信号として出力される。
なお、重み付けでは、各アンテナＡ１〜ＡＮ、Ａｃによる受信信号と各アンテナＡ１〜ＡＮ、Ａｃに対応した受信ウエイトとが各乗算器Ｅ１〜ＥＮ、Ｅｃにおいて乗算される。
【００３５】
このとき、受信ウエイトや送信ウエイトのウエイト計算は、アダプティブアルゴリズムに基づいて行われる。アルゴリズムでは、例えば、参照信号を利用することや、包絡線が一定であることを利用することなどができ、種々なアルゴリズムが用いられてもよい。
ウエイト計算・キャリブレーション回路２は、例えば、ＤＳＰ（Digital Signal Processor）やＦＰＧＡ（Field Programmable Gate Array）などのように、デジタル信号処理を容易に実現することができるものから構成されるのが好ましい。
【００３６】
また、送信についても、受信回路部側と同様に、受信信号を基にウエイト計算・キャリブレーション回路２及び各乗算器Ｆ１〜ＦＮ、Ｆｃにより送信信号に対する重み付けと位相や振幅や周波数の補正などを行い、各Ｄ／Ａ変換器Ｇ１〜ＧＮにより送信信号をデジタル信号からアナログ信号へ変換し、そして、送信信号が各送信回路Ｈ１〜ＨＮ、Ｈｃにおいて送信周波数に周波数変換されて適切な信号レベルに増幅された後に、各スイッチＢ１〜ＢＮを通して各アンテナ（＃１〜＃Ｎ、＃Ｃ）Ａ１〜ＡＮ、Ａｃから適切なアンテナパターンにて送信される。
【００３７】
ここで、本例の基地局装置では、アンテナパターンに寄与するアレイ素子数Ｎに１を加えた（Ｎ＋１）個の同一のアレイ系統を有しており、キャリブレーションを行うアンテナ（アンテナＡ１〜ＡＮ、Ａｃのいずれか）以外の任意のアンテナがアレイアンテナとして機能する。一例として、Ｎ本のアンテナＡ１〜ＡＮの系を用いてＮ本のアンテナＡ１〜ＡＮから構成されるアダプティブアレイアンテナを実現し、残りの１本のアンテナＡｃの系を用いて、当該アダプティブアレイアンテナを構成する各アンテナＡ１〜ＡＮから無線送信される信号を無線受信して、当該受信結果に基づいてアンテナのキャリブレーション処理を実行する。
【００３８】
なお、本例では、アンテナの総数をアレイ素子数Ｎに１を加えた数（Ｎ＋１）以下とする全ての場合或いは必要な一部の場合について、各アンテナ系の信号の位相・振幅におけるアンテナパターンの情報や、各アンテナ間の相互結合量の情報を事前に把握していることが好ましく、これらの情報を格納したテーブルに基づいてウエイト計算・キャリブレーション回路２を動作させることができる。
【００３９】
また、キャリブレーションのタイミングとしては、例えば、Ｎ本のアンテナから成る基地局装置である場合には、アンテナ“１”からアンテナ“Ｎ”まで順番にキャリブレーションを行い、このような順番で、キャリブレーションを行うことを許容されたフレームでキャリブレーションを行うような態様を用いることができる。この態様では、例えば、基地局装置などにおいて、キャリブレーション用の信号を既知の振幅と既知の位相で微弱な電波にて送信する。全てのアレイ系のキャリブレーションが終了した後には、継続してキャリブレーションを行ってもよく、或いは、任意の時間間隔で定期的にキャリブレーションを行ってもよい。
【００４０】
本例では、Ｎ本のアンテナ“１”〜“Ｎ”がアレイ系で動作して１本のアンテナ“Ｎ＋１”がキャリブレーション系で動作した場合のアルゴリズムや、Ｎ本のアンテナ“２”〜“Ｎ＋１” がアレイ系で動作して１本のアンテナ“１”がキャリブレーション系で動作した場合のアルゴリズムや、Ｎ本のアンテナ“１”、“３”〜“Ｎ＋１” がアレイ系で動作して１本のアンテナ“２”がキャリブレーション系で動作した場合のアルゴリズムなどのように、それぞれのパターンに対応したアルゴリズムを用意して切り替えて使用する。
【００４１】
また、本例の基地局装置のシステムでは、例えば、複数のアレイ系統のうちの１つ（或いは、２以上）のアンテナ及び装置に障害が発生したような場合には、このことがキャリブレーションにより判明するため、障害が発生したアレイ系統を除く各アレイ系統でアンテナビームを形成して、運用を継続することも可能である。また、このような障害が発生したときに、当該障害に関する情報を管理センタなどへ通知する構成としてもよい。
【００４２】
また、本例の基地局装置のシステムでは、例えば、アレイ系統のうちの１つ或いは２以上のアンテナ及び装置に障害が発生して、これがキャリブレーションにより判明したときには、障害が発生したアレイ系統を除くアレイ系統から１つのアレイ系統を除いた系統（障害のないアレイ系統の数−１）でアンテナビームを形成し、当該１つのアレイ系統のアンテナをキャリブレーション用のアンテナとして機能させるようなことができる。
【００４３】
同様に、本例の基地局装置のシステムでは、アレイ系統のうちの１つ或いは２以上のアンテナ及び装置に障害が発生したときには、障害が発生したアレイ系統を除くアレイ系統から任意の１つのアレイ系統を除いた任意の系統でアンテナビームを形成し、当該１つのアレイ系統のアンテナをキャリブレーション用のアンテナとして機能させるようなことができる。
【００４４】
ここで、アレイアンテナを構成する１以上のアンテナに障害が発生して、アレイアンテナを構成するアンテナの総数が変化した場合には、通常、制御の方法を変化させることが必要となる。このため、例えば、予めアレイアンテナを構成するアンテナの一部が欠けた場合のアルゴリズムを用意する。
【００４５】
具体的には、Ｎ本のアンテナがアレイ系で動作して１本のアンテナがキャリブレーション系で動作した場合のアルゴリズムのほかに、（Ｎ−１）本のアンテナがアレイ系で動作して１本のアンテナがキャリブレーション系で動作した場合のアルゴリズムや、（Ｎ−２）本のアンテナがアレイ系で動作して１本のアンテナがキャリブレーション系で動作した場合のアルゴリズムなどのように、一部のアンテナが欠けたそれぞれのパターンに対応したアルゴリズムを用意して切り替えて使用する。
【００４６】
なお、このように障害が発生してアレイ系統の総数が１以上少なくなる場合には、アンテナのヌルとなる角度点が１以上減少するため、通常、正常運用時と比べて性能が劣化すると考えられる。このため、運用を継続することは可能であるが、早急のメンテナンスを行うことが望ましいと考えられる。
【実施例２】
【００４７】
本発明の第２実施例を説明する。
図３には、本例の基地局装置のアダプティブアレイアンテナに関する部分の構成例を示してある。
本例の基地局装置では、例えば上記図１に示した構成例と比べて、各アンテナ系において、送受切り替え用のスイッチＢ１〜ＢＮ、Ｂｃが備えられてなく、受信専用のアンテナＩ１〜ＩＮ、Ｉｃと、送信専用のアンテナＱ１〜ＱＮ、Ｑｃが備えられている。
【００４８】
なお、受信回路Ｊ１〜ＪＮ、Ｊｃや、Ａ／Ｄ変換器Ｋ１〜ＫＮ、Ｋｃや、受信側の乗算器Ｌ１〜ＬＮ、Ｌｃや、送信側の乗算器Ｍ１〜ＭＮ、Ｍｃや、Ｄ／Ａ変換器Ｏ１〜ＯＮ、Ｏｃや、送信回路Ｐ１〜ＰＮ、Ｐｃや、加算器３１や、ウエイト計算・キャリブレーション回路３２の構成や動作としては、例えば上記図１に示したものと同様である。
【００４９】
このように、本例の基地局装置では、送信アレイアンテナと受信アレイアンテナとが異なり、送受切り替えのスイッチは必要なくなる。本例においても、送信に大きく寄与するアンテナ素子数Ｎに１を加えた数（Ｎ＋１）のアレイ系統（＃１〜＃Ｎ、＃Ｃ）があり、アダプティブアレイによる無線通信とアンテナのキャリブレーションとを分担して行う。
【００５０】
次に、以上に示した実施例に関して、更に説明する。
図４（ａ）には、基地局装置の全体的な構成の一例を示してある。
同図（ａ）に示した基地局装置には、例えばアンテナや送受信部やウエイト計算部を含んで構成されるアダプティブアレイアンテナ部（ＡＡＡ部）４１と、通信信号の変復調を行うモデム部（変復調部）４２と、ベースバンド（ＢＢ：Base Band）処理を行うベースバンド部（ＢＢ部）４３と、これら各処理部４１〜４３を制御する制御部４４が備えられており、また、基地局制御装置等４５が備えられている。
【００５１】
ここで、上記図４（ａ）に示した基地局装置では、例えば、ＡＡＡ部４１の構成として、上記図１に示したようなアダプティブアレイアンテナに関する構成や、上記図３に示したようなアダプティブアレイアンテナに関する構成が用いられる。上記図１や上記図３に示した“受信信号”はモデム部４２へ出力され、“送信信号”はモデム部４２から入力される。
なお、基地局装置の全体的な構成や、アダプティブアレイアンテナに関する構成としては、必ずしも本実施例で示したものに限られず、種々な構成が用いられてもよい。
【００５２】
図４（ｂ）には、ＴＤＤ方式におけるデータ通信（Ｔｘ或いはＲｘ）の間のガードフレームの一例や、ＦＤＤ方式におけるデータ通信（Ｔｘ及びＲｘ）の間のガードフレームの一例を示してある。
本実施例に係る基地局装置では、例えば、このようなガードフレームの期間などのように、データが通信中ではない領域であるときに、アレイ用のアンテナとキャリブレーション用のアンテナとを入れ替える（切り替える）動作を行う。これにより、アレイ用のアンテナとキャリブレーション用のアンテナとの切り替えを効率的に行うことができる。
【００５３】
また、他の構成例として、アンテナパターンに寄与するアレイ素子数が（ｎ＋ｍ）である素子を有し、複数であるｎ本のアンテナがアレイアンテナ素子として用いられ、複数であるｍ本のアンテナがキャリブレーション用のアンテナ素子として動的に機能するような構成とすることも可能である。
【００５４】
ここで、ｍ本のキャリブレーションアンテナでは、キャリブレーションを同時に行うことで、キャリブレーション時間を短縮することが可能である。また、アレイアンテナ素子数が多いときには、アンテナ間の相互結合量が非常に小さいものもあるため、キャリブレーションアンテナを複数用意することで、キャリブレーションを行うアンテナ群のグループ分けをすることも可能である。
【００５５】
また、このような構成において、アレイアンテナを構成するアンテナの1つ或いは2以上に障害が発生したときには、例えば、障害が発生したアンテナ素子数分を除くアレイ系統でアンテナビームを形成し、ｍ本のアンテナをキャリブレーション用のアンテナとして使用するようなことが可能である。
【００５６】
以上のように、本実施例に係る基地局装置では、アンテナパターンに寄与するアレイ素子数Ｎより１つ多い（Ｎ＋１）本の素子を有し、任意のアンテナがアレイアンテナ素子或いは１つのキャリブレーションアンテナ素子として動的に変化することが可能であり、これにより、時々刻々と位相変化及び振幅の校正を行うことが可能である。
【００５７】
具体的には、本実施例に係る基地局装置では、第１のアンテナから第（Ｎ＋１）のアンテナを備える。アンテナパターンに大きく寄与するのは、その内のＮ本であり、残りの１本はキャリブレーションアンテナとして機能する。アンテナパターンに寄与するＮ本の各アンテナから１本ずつ順番に既知の振幅と位相で電波を送信し、キャリブレーションアンテナがこれを受信する。キャリブレーション系では、各アンテナから受信した偏差量を算出してこれを現在の補正値として、この受信偏差量を送信パターン形成回路へ供給し、これにより、当該受信偏差量を加味した送信パターンを形成して、このように動的に補正を行う。
このように、アレイアンテナが（Ｎ＋１）本存在しており、通常は、Ｎ本をアレイアンテナの素子として利用し、残りをキャリブレーション用アンテナの素子として用いる。
【００５８】
また、本実施例に係る基地局装置では、例えば、アレイアンテナ素子の１つ或いは２以上に障害が発生したときに、障害が発生したアンテナを除く各アレイアンテナ素子でアンテナビームを形成し、これにより、運用状態を止めることなく運用を続ける。
また、本実施例に係る基地局装置では、例えば、アダプティブアレイ基地局が運用中に、１つ或いは２以上のアレイアンテナ素子に障害が発生したときには、運用は継続するが、障害を管理センタへ通知する。
【００５９】
また、本実施例に係る基地局装置では、例えば、アダプティブアレイ基地局が運用中に、１以上のアレイアンテナ素子に障害が発生したときに、故障したアンテナ素子を除くアレイアンテナ素子より１つ少ない素子でアンテナビームを形成することで運用を止めることなく、残りの１つのアンテナをキャリブレーションアンテナ素子として例えば固定的に機能させる。
【００６０】
また、本実施例に係る基地局装置では、例えば、アダプティブアレイ基地局が運用中に、１以上のアンテナに障害が発したときには、故障したアンテナ素子を除くアレイアンテナ必要素子より１つ少ない素子でアンテナビームを形成し、残りの任意のアンテナをキャリブレーションアンテナとして固定的に機能させる。
【００６１】
また、本実施例に係る基地局装置では、例えば、送信アレイアンテナと受信アレイアンテナとが異なる構成において、送信アレイアンテナの素子数より１つ多い素子を有し、任意のアンテナがアレイアンテナ素子或いはキャリブレーションアンテナ素子として動的に変化することが可能であり、これにより、時々刻々と位相変化及び振幅の校正を行うことが可能である。
【００６２】
また、本実施例に係る基地局装置では、例えば、アンテナパターンに寄与するアレイ素子数（ｎ＋ｍ）の素子を有し、任意のアンテナがｎ本のアレイアンテナ素子或いはｍ本のキャリブレーションアンテナ素子として動的に変化することが可能であり、これにより、時々刻々と位相変化及び振幅の校正を行うことが可能である。
【００６３】
また、本実施例に係る基地局装置では、例えば、アレイアンテナ素子の１つ或いは複数にわたって障害が発生したときには、障害が発生したアンテナを除く各アレイアンテナ素子でアンテナビームを形成することにより、運用状態を止めることなく、運用を行う。
【００６４】
また、本実施例に係る基地局装置では、例えば、アレイアンテナ素子に障害が発生したときには、故障したアンテナ素子数分を除くアレイアンテナ素子（故障のないアンテナ素子数−ｍ）でアンテナビームを形成して、運用を止めることなく、残りのｍ本のアンテナをキャリブレーションアンテナ素子として機能させる。
【００６５】
従って、本実施例に係る基地局装置では、アレイアンテナ素子とアンテナパターンに大きく寄与しないキャリブレーションアンテナでアンテナパターンを形成し、運用中に動的に各アレイアンテナ系列のキャリブレーションを行うことが可能である。また、アレイアンテナとキャリブレーション用アンテナとを共通化することにより、例えば、送信系などが故障したアンテナをキャリブレーション用アンテナとして用いることや、キャリブレーションを１本ずつのアンテナについて行うことが可能である。
【００６６】
また、本実施例に係る基地局装置では、アレイアンテナシステムの弱点である１つ或いは複数のアレイ系列が故障することによる運用停止を最小限に抑えることを保つことができる。例えば、任意のアレイ系統が故障して特性劣化した状態の運用中においても、異常があるときにはすぐに管理センタに通知され、障害に対して迅速に対応することを可能とすることができる。
【００６７】
このように、本実施例に係る基地局装置では、移動体通信端末の無線基地局において、運用中にアンテナキャリブレーションを自動的に行うことができ、これにより、例えば、運用中にアンテナキャリブレーションの補正値が変動するような場合においても、常に、高精度なキャリブレーションを実現することができ、アンテナを用いた高品質な無線通信を実現することができる。
【００６８】
ここで、従来のキャリブレーションでは、キャリブレーション用アンテナがアレイ系アンテナに影響を及ぼさないことを前提としているが、本実施例では、キャリブレーション用アンテナがアレイ系アンテナに影響を及ぼすことを前提としている。
【００６９】
また、本実施例に係る基地局装置に備えられる各アンテナの配置の位置としては、種々な位置が用いられてもよい。本実施例では、キャリブレーション専用アンテナというものを用いておらず、また、各アンテナの設置場所については特に限定はない。複数のアンテナのそれぞれの場所とそれらのアンテナによるフォーミング等については、例えば、それぞれの配置のパターンに対応してアルゴリズムを用意する。
【００７０】
なお、本実施例では、本発明に係る無線通信装置を基地局装置に適用した場合を示した。
また、本実施例に係る基地局装置では、例えば制御部（図示せず）が複数のアンテナＡ１〜ＡＮ、Ａｃ（或いは、Ｉ１〜ＩＮ、Ｉｃ、Ｑ１〜ＱＮ、Ｑｃ）の中で無線通信に用いるアンテナとキャリブレーション処理に用いるアンテナの割り当てを切り替える機能によりアンテナ割り当て切り替え手段が構成されており、アンテナを用いて無線通信を行う機能により無線通信手段が構成されており、アンテナを用いてアンテナ系に関するキャリブレーション処理を実行する機能によりアンテナキャリブレーション処理実行手段が構成されている。
【００７１】
また、本実施例に係る基地局装置では、それぞれのアンテナ系の受信回路Ｃ１〜ＣＮ、Ｃｃ（或いは、Ｊ１〜ＪＮ、Ｊｃ）に、キャリブレーション処理回路に相当する一方の信号処理系と、受信信号処理経路に相当する他方の信号処理系が備えられており、また、スイッチ１２、２１がこれら２つの処理系路を切り替える機能により使用処理系路切り替え手段が構成されている。
【００７２】
また、本実施例に係る基地局装置では、受信信号処理経路において、受信周波数帯のバンドパスフィルタ１７の機能により第１周波数成分抽出手段が構成されており、増幅器１８の機能により増幅手段が構成されており、発信器１９の機能及び周波数変換ミキサ２０の機能により第１の周波数変換手段が構成されている。
また、本実施例に係る基地局装置では、キャリブレーション処理経路において、送信周波数帯のバンドパスフィルタ１３の機能により第２周波数成分抽出手段が構成されており、可変減衰器１４の機能により減衰手段が構成されており、発信器１５の機能及び周波数変換ミキサ１６の機能により第２の周波数変換手段が構成されている。
【００７３】
以下で、本発明に関する技術の背景を示す。なお、ここで記載する事項は、必ずしも全てが従来の技術であるとは限定しない。
例えば、移動体無線通信において、高速通信実現のために、アダプティブアレイアンテナシステムを用いることは非常に有効なことである。アダプティブアレイアンテナシステムは、各アレイ系列の位相や振幅を変更することにより、所望のユーザが存在する方向ヘアンテナパターンのピークを向けることができる。これは、アダプティブなビームフォーミングである。また、アダプティブアレイアンテナシステムでは、例えば、複数であるＮ素子のアンテナの場合には、＃１から＃ＮまでのＮ個の系列を有する。
【００７４】
また、アダプティブアレイアンテナシステムは、非所望ユーザからの干渉波受信を抑圧し、非所望ユーザ方向への干渉を削減するように送信アンテナパターンのヌル（ＮＵＬＬ）を向けることができる。これは、アダプティブなヌルスティアリングである。
そして、アダプティブアレイアンテナシステムでは、通信を行う移動体通信端末に対しては最大の送信電力で通信するアダプティブビームフォーミングを行い、通信を行っていない他の干渉移動体通信端末に対しては影響を与えないようにするアダプティブヌルスティアリングを行うことができる。
【００７５】
図5には、アダプティブビームフォーミング及びアダプティブヌルスティアリングの一例を示してある。
具体的には、アダプティブアレイアンテナを搭載した基地局装置のアンテナ６１及びそのアンテナパターン（指向性パターン）と、複数の移動体通信端末装置７１〜７３を示してある。
希望波に対応する移動体端末装置７２の方向にはビームを向け、妨害波に対応する移動体端末装置７１、７３の方向にはヌルを向けている。
【００７６】
ところで、移動体通信には、ＴＤＭＡ（Time Division Multiple Access）方式やＦＤＤ（Frequency Division Duplex）方式のシステムがあり、例えば、ＴＤＭＡ／ＴＤＤ（Time Division Duplex）方式の通信システムにおいては、送受の周波数が全く同一である。基地局装置からユーザ端末側の電波伝搬環境とユーザ端末側から基地局装置までの電波伝搬環境が等しく、基地局装置とユーザ端末との間で電波伝搬環境の可逆性が成立する。
【００７７】
つまり、基地局装置側の受信と送信のアンテナパターンを同一にすることができ、非常に簡易な構成で実現することができる。これらは、現在において一部でサービスされているＰＨＳ（Personal Handy phone System）基地局装置などで実用されている。
【００７８】
一方、ＰＤＣ（Pe rsonal Digital Cellular）方式やＣＤＭＡ（Code Division Multiple Access）方式等のＦＤＤシステムでは、上り回線と下り回線の周波数が異なるため、受信と送信のアンテナパターンを厳密には同一にすることができない。
【００７９】
図6には、ＦＤＤシステムにおけるアダプティブアレイアンテナ装置の構成例を示してある。
具体的には、複数であるＮ個の系のそれぞれに、アンテナＲ１〜ＲＮと、送受切り替え用のスイッチ（ＳＷ）Ｓ１〜ＳＮと、受信回路（Ｒｘ）Ｔ１〜ＴＮと、Ａ／Ｄ（Analog to Digital）変換器（ＡＤＣ）Ｕ１〜ＵＮと、各アンテナの受信信号に対して各アンテナの受信ウエイトを乗算するための乗算器Ｖ１〜ＶＮと、送信信号に対して各アンテナの送信ウエイトを乗算するための乗算器Ｗ１〜ＷＮと、Ｄ／Ａ（Digital to Analog）変換器（ＤＡＣ）Ｘ１〜ＸＮと、送信回路（Ｔｘ）Ｙ１〜ＹＮが備えられている。
【００８０】
また、Ｎ個の系に共通に、受信ウエイト乗算後の各アンテナ受信信号を総和してアダプティブアレイアンテナ全体としての受信信号を取得する加算器８１と、当該受信信号に基づいて各アンテナの受信ウエイトや各アンテナの送信ウエイトを算出するウエイト計算回路８２が備えられている。
【００８１】
このようなＦＤＤシステムにおけるアダプティブアレイアンテナ装置では、個々のアンテナ素子（＃１〜＃Ｎ）Ｒ１〜ＲＮに対する受信信号に基づいて、個々のアンテナ素子Ｒ１〜ＲＮに対応する複素振幅の重み付けをウエイト計算回路８２で決定し、このウエイトを各アンテナ素子Ｒ１〜ＲＮに対応する受信信号に付与する。また、これとともに、当該ウエイトに周波数差成分を含めた補正値（周波数キャリブレーション）を送信データからの送信信号に付与することで、期待するアンテナパターンを形成する。これにより、送受信で同一のパターンを形成することができる。
【００８２】
しかしながら、受信と送信で同一のパターンを形成することは現実的には困難である。
例えば、各アレイ系列の送信アナログ部や受信アナログ部の通過振幅特性及び通過位相特性に偏差（バラツキ）があるため、受信と送信で同じ重みに対する周波数差成分を含めた補正ウエイトを用いた場合においても、受信パターンと送信パターンが異なり、所望方向への利得が低くなったり干渉ユーザヘの利得が高くなったりして、所望のアンテナパターンを生成することができないことがある。
【００８３】
図７には、このようなアダプティブアレイアンテナによる受信パターンＺ１と送信パターンＺ２の一例を示してあり、偏差により受信パターンＺ１と送信パターンＺ２とがずれている。
そして、図示されるように、受信パターンＺ１から推定したヌル（ＮＵＬＬ）角度において、送信パターンのサイドローブピークが向いてしまうようなことが生じ、所望の送信パターンにならない。
【００８４】
このような各アレイ系列のバラツキを取り除く方法として、一般的には、個別のハードウエアキャリブレーションが行われる。具体的には、全ての受信アナログ部と送信アナログ部の偏差を測定して、補正量を予め算出し、そして、実際の運用時にその補正量を考慮して各素子に設定する重みを算出する。
【００８５】
しかしながら、最初に求めた補正量が運用中に変化してしまうような場合がある。この原因としては、例えば、昼夜の外気温度変化の違いによるアナログ部のアクテイブ部品（例えば、増幅器、ミキサ、シンセサイザなど）の特性変化がある。また、それ以外のパッシブ部品（例えば、フィルタ、カプラなど）についても若干の特性変化がある。
【００８６】
また、原因としては、装置内部に使用している接続ケーブルの長さの伸縮による微小な位相変動などが考えられる。或いは、アンテナと増幅器とを接続するケーブルが屋外に露出している場合には、風や雨や雪などの外部要因によってケーブルが振動することによる位相変動などが考えられる。
【００８７】
このような変化が生じると、アダプティブアレイアンテナ装置の性能が大幅に劣化し、例えば上記図７に示したアンテナパターンと同様に、所望波と干渉波（ノイズ成分も含む）との比であるＳＩＮＲ（Signal to Interference plus Noise Ratio）の劣化が起きる。この結果、干渉抑圧ができずに、通信品質が劣化したりする。このため、キャリブレーションは一度では不十分であり、運用中にリアルタイムにキャリブレーションすることが要求される。
これに対して、本発明では、以上に説明したように、このような従来の問題を解消することができ、有効な効果を実現することができる。
【００８８】
ここで、本発明に係る無線通信装置や通信機や基地局装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
【００８９】
また、本発明に係る無線通信装置や通信機や基地局装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００９０】
【図１】本発明の第１実施例に係る基地局装置のアダプティブアレイアンテナに関する部分の構成例を示す図である。
【図２】受信回路の構成例を示す図である。
【図３】本発明の第２実施例に係る基地局装置のアダプティブアレイアンテナに関する部分の構成例を示す図である。
【図４】基地局装置の構成例などを示す図である。
【図５】アダプティブアレイアンテナのアンテナパターンの一例を示す図である。
【図６】ＦＤＤシステムにおけるアダプティブアレイアンテナ装置の構成例を示す図である。
【図７】アダプティブアレイアンテナにおける偏差を有する受信パターンと送信パターンの一例を示す図である。
【符号の説明】
【００９１】
１、３１、８１・・加算器、
２、３２・・ウエイト計算・キャリブレーション回路、
１１・・アイソレータ、
１３、１７、２２・・バンドパスフィルタ、
１４・・可変減衰器、  １５、１９・・発信器、
１６、２０・・ミキサ、  １８・・増幅器、
４１・・アダプティブアレイアンテナ部、  ４２・・モデム部、
４３・・ベースバンド部、  ４４・・制御部、
４５・・基地局制御装置等、  ７１〜７３・・移動体通信端末装置、
８２・・ウエイト計算回路、
６１、Ａ１〜ＡＮ、Ａｃ、Ｉ１〜ＩＮ、Ｉｃ、Ｑ１〜ＱＮ、Ｑｃ、Ｒ１〜ＲＮ・・アンテナ、
１２、２１、Ｂ１〜ＢＮ、Ｂｃ、Ｓ１〜ＳＮ・・スイッチ、
Ｃ１〜ＣＮ、Ｃｃ、Ｊ１〜ＪＮ、Ｊｃ、Ｔ１〜ＴＮ・・受信回路、
Ｄ１〜ＤＮ、Ｄｃ、Ｋ１〜ＫＮ、Ｋｃ、Ｕ１〜ＵＮ・・Ａ／Ｄ変換器、
Ｅ１〜ＥＮ、Ｅｃ、Ｆ１〜ＦＮ、Ｆｃ、Ｌ１〜ＬＮ、Ｌｃ、Ｍ１〜ＭＮ、Ｍｃ、Ｖ１〜ＶＮ、Ｗ１〜ＷＮ・・（複素）乗算器、
Ｇ１〜ＧＮ、Ｇｃ、Ｏ１〜ＯＮ、Ｏｃ、Ｘ１〜ＸＮ・・Ｄ／Ａ変換器、
Ｈ１〜ＨＮ、Ｈｃ、Ｐ１〜ＰＮ、Ｐｃ、Ｙ１〜ＹＮ・・送信回路、
【図１】
2005130323.tif 000003
【図２】
2005130323.tif 000004
【図３】
2005130323.tif 000005
【図４】
2005130323.tif 000006
【図５】
2005130323.tif 000007
【図６】
2005130323.tif 000008
【図７】
2005130323.tif 000009